(57)【要約】【課題】支持体の厚みを小さくすることができ、天井面や壁面の照明装置の周囲における光が照射されない範囲を小さくすることができるようにする。【解決手段】  支持体３の内部に取付板５を介して光源１及び電源ユニット２を支持する。取付板５は、光源１が取り付けられる光源取付部５１及び電源ユニット２が取り付けられる電源ユニット取付部５２を備えている。光源取付部５１は、電源ユニット取付部５２を挟んで両側に位置する。電源ユニット取付部５２は、支持体３の前後方向において、光源取付部５１よりも前面側に位置する。正面視において、電源ユニット２は、環状を呈する光源１の開口１４内に位置する。支持体３の前後方向において、電源ユニット２は、略全体が光源１の前面側に位置する。【選択図】図３
2014212050.tif 000002
【特許請求の範囲】
【請求項１】
前面側に光を照射する光源と、
前記光源に電源を供給する電源ユニットと、
平面状の背面を有し、前記電源ユニットの少なくとも一部が前記光源よりも前面側に位置する状態で、前記光源及び前記電源ユニットを支持する支持体と、
前記光源及び前記電源ユニットを支持した前記支持体の前面を被覆するシェードと、
を備えた照明装置。
【請求項２】
前記光源は、正面視において前記電源ユニットより大きい開口を中央部に備えた環状を呈する請求項１に記載の照明装置。
【請求項３】
前記支持体の内部に固定され、前記電源ユニットを取り付ける電源ユニット取付部と、前記光源を取り付ける光源取付部と、を有する取付板を備え、
前記電源ユニット取付部は、前記光源取付部よりも前記支持体の前後方向における前面側に位置する請求項１又は２に記載の照明装置。
【発明の詳細な説明】
【技術分野】
【０００１】
この発明は、光源及び電源ユニットを備え、背面を天井面や壁面に密着させて取り付けられる照明装置に関する。
【背景技術】
【０００２】
天井や壁に取り付けられる照明装置として、背面を天井面や壁面に密着させて取り付けられるものがある。このような照明装置では、天井面や壁面に固定される支持体の前面に光源を支持し、支持体の前面を覆うシェードを備えている（例えば、特許文献１参照。）。
【０００３】
光源に電源を供給する電源ユニットは、光源の背面に配置される。支持体の背面を天井面や壁面に密着させる場合、支持体は少なくとも電源ユニットの厚さだけ天井面や壁面よりも前方の位置で光源を支持することになる。
【先行技術文献】
【特許文献】
【０００４】
【特許文献１】特開２０１１−２２２３３６号
【発明の概要】
【発明が解決しようとする課題】
【０００５】
しかし、従来の照明装置では、天井面や壁面と光源との間に電源ユニットが配置されることになり、支持体には電源ユニットを収納するための厚みが必要となり、天井面や壁面からの突出量が大きくなる。また、同様の理由から天井面や壁面における照明装置の周囲の広い範囲に光源の光が照射されなくなり、暗部が広くなる。
【０００６】
これらの問題は、光源にＬＥＤを用いてシェードを薄型に形成した場合に、より顕著になる。
【０００７】
この発明の目的は、支持体の厚みを小さくすることができ、天井面や壁面の照明装置の周囲における光が照射されない範囲を小さくすることができる照明装置を提供することにある。
【課題を解決するための手段】
【０００８】
この発明は、光源、電源ユニット、支持体、シェードを備えている。光源は、前面側に光を照射する。電源ユニットは、光源に電源を供給する。支持体は、平面状の背面を有し、電源ユニットの少なくとも一部が光源よりも前面側に位置する状態で、光源及び電源ユニットを支持する。シェードは、光源及び電源ユニットを支持した支持体の前面を被覆する。
【０００９】
電源ユニットの少なくとも一部が光源よりも前面側に位置することで、支持体における光源よりも背面側の部分の厚みが薄くなる。支持体の背面を天井面又は壁面に接触させて照明装置を取り付けた際に、天井面又は壁面から光源までの距離が短くなり、天井面又は壁面における支持体の周囲の光源からの光が届かない範囲が小さくなる。
【発明の効果】
【００１０】
この発明によれば、支持体の厚みを小さくすることができ、天井面や壁面の照明装置の周囲における光が照射されない範囲を小さくすることができる。
【図面の簡単な説明】
【００１１】
【図１】本発明の実施形態に係る照明装置の分解図である。
【図２】同照明装置が備える取付板の外観図である。
【図３】（Ａ）及び（Ｂ）は、同照明装置の側面断面図及びシェードを外した状態の正面図である。
【図４】（Ａ）及び（Ｂ）は、同照明装置及び従来の照明装置の光の照射範囲を示す図である。
【発明を実施するための形態】
【００１２】
以下に、この発明の実施形態に係る照明装置を図面を参照しつつ説明する。
【００１３】
図１に示すように、本発明の実施形態に係る照明装置１０は、光源１、電源ユニット２、支持体３、シェード４、取付板５を備え、壁面又は天井面に取り付けられる。
【００１４】
光源１は、一例としてｌＬＥＤ光源であり、基板１１、レンズ１２及びフレーム１３を備えている。基板１１、レンズ１２及びフレーム１３はいずれも環状を呈しており、光源１の中心部には開口１４が形成されている。レンズ１２は、複数のＬＥＤが実装された基板１１をフレーム１３との間に挟持する。レンズ１２は、基板１１の表面を被覆しており、複数のＬＥＤの発光を拡散光として外部に配光する。
【００１５】
電源ユニット２は、正面視において開口１４よりも小さい略直方体を呈し、基板１１に実装されている複数のＬＥＤに電源を供給する。電源ユニット２は、白色の外装カバーを備えている。支持体３は、一例として、中央部が背面側に突出した円形椀状を呈している。中央部には、支持体３を壁面に取り付けるためのブッシング３１，３２が配置されている。シェード４は、一例として半透明の部分球形状を呈し、光源１の光を拡散光として外部に配光する。シェード４は、外周のフランジ部４１を支持体３の受け部３１に支持体３の前面側から嵌入させた後、支持体３にネジ止めされる。
【００１６】
支持体３は、取付板５を介して、光源１及び電源ユニット２をシェード４との間に位置するように支持する。
【００１７】
図２に示すように、取付板５は、一例として金属平板のプレス加工によって成形されており、光源取付部５１、電源ユニット取付部５２、腕部５３を備えている。
【００１８】
電源ユニット取付部５２は、取付板５の中央部に配置され、４隅を切除した矩形の平板状に形成されている。腕部５３は、電源ユニット取付部５２の２つの長辺のそれぞれから２本ずつ延出している。
【００１９】
光源取付部５１は、腕部５３の両端部のうち電源ユニット取付部５２とは反対側の端部に接続されており、電源ユニット取付部５２を挟んで両側に位置している。光源取付部５１は、２隅を切除した矩形の平板状に形成されている。
【００２０】
取付板５は、腕部５３の中間部５３１に形成された孔部５４を貫通する止めネジにより、支持体３の中央部に固定される。光源取付部５１及び電源ユニット取付部５２は、互いに平行に配置されている。
【００２１】
光源１は、２つの光源取付部５１にネジ止めされる。電源ユニット２は、電源ユニット取付部５２にネジ止めされる。
【００２２】
図３（Ａ）及び（Ｂ）に示すように、取付板５を支持体３に固定した状態で、電源ユニット取付部５２は、２つの光源取付部５１の内側で、光源取付部５１よりも支持体３の前面側に位置する。支持体３の前後方向において、電源ユニット取付部５２と光源取付部５１との距離は、光源１の厚さよりも僅かに小さい。取付板５に光源１及び電源ユニット２を取り付けると、電源ユニット２の略全体が、光源１の開口１４内で、光源１よりも支持体３の前面側に位置する。
【００２３】
シェード４は光源１の光を拡散光として外部に配光する半透明体であるため、電源ユニット２の寸法を考慮して光源１及びシェード４の径を決定することで、電源ユニット２のイメージが視認されることなく、シェード４の全面から略均一な光を外部に照射することができる。
【００２４】
図４（Ａ）に示すように、従来の照明装置１００では、電源ユニット２を光源１よりも前後方向における前面側に配置しているため、壁面２００に取り付けた際に、周囲の広い範囲に、光が照射されない影部が形成される。
【００２５】
これに対して、照明装置１０は、図４（Ｂ）に示すように、照明装置１０は、電源ユニット２の略全体を光源１よりも前後方向における前面側に配置しているため、壁面２００に取り付けた際に、周囲に形成される影部を小さくできる。また、照明装置１０は、従来の照明装置に比較して、薄型に形成することができ、壁面２００からの突出量を小さくすることができる。
【００２６】
なお、上記の実施形態では、壁面に取り付けられる照明装置１０について説明したが、照明装置１０を天井面に取り付けることもできる。また、光源１としてＬＥＤ光源以外の冷陰極管等の光源を用いることもできる。さらに、照明装置１０は、正面視において矩形や多角形を呈するものであってもよい。
【符号の説明】
【００２７】
１−光源
２−電源ユニット
３−支持体
４−シェード
５−取付板
【図１】
2014212050.tif 000003
【図２】
2014212050.tif 000004
【図３】
2014212050.tif 000005
【図４】
2014212050.tif 000006